(57)【要約】      （修正有）【課題】複数の切断刃の位置をダイロールの軸方向に自由に調整することができるロータリーダイカッターを提供する。【解決手段】段ボールシートの少なくとも一部を切断するダイロール２と、このダイロール２に対設されるアンビルロール３とを備え、ダイロール２とアンビルロール３との間に段ボールシートを挿通させてこの段ボールシートを加工する。ダイロール２が、ロール本体４、このロール本体４に外嵌するよう装着される部分円筒状の一対の枠体５、及びこの各枠体５に軸方向に沿って摺動可能に、かつ着脱可能に配設される複数の可動切断刃部６を有し、可動切断刃部６が、外面が枠体５の外面と同一曲面上にある切断刃用台、及び各切断刃用台の外面にそれぞれ立設される切断刃を有する。【選択図】図１
0003172907.tif 000002
【実用新案登録請求の範囲】
【請求項１】
段ボールシートの少なくとも一部を切断するダイロールと、このダイロールに対設されるアンビルロールとを備え、上記ダイロールとアンビルロールとの間に段ボールシートを挿通させてこの段ボールシートを加工するロータリーダイカッターであって、
上記ダイロールが、
ロール本体、
このロール本体に外嵌するよう装着される部分円筒状の一対の枠体、及び
この各枠体に軸方向に沿って摺動可能に、かつ着脱可能に配設される複数の可動切断刃部
を有し、
上記可動切断刃部が、
外面が上記枠体の外面と同一曲面上にある切断刃用台、及び
上記各切断刃用台の外面にそれぞれ立設される切断刃
を有することを特徴とするロータリーダイカッター。
【請求項２】
上記切断刃が平板形状を有し、かつダイロールの軸方向に対して垂直に設けられている請求項１に記載のロータリーダイカッター。
【請求項３】
上記枠体が軸方向に沿って設けられる第一目盛りを有する請求項１又は請求項２に記載のロータリーダイカッター。
【請求項４】
上記一対の枠体のうち、
一の枠体が、略帯状の枠体本体と、この枠体本体の一の側辺の両端部分から周方向に延出する一対の延出部とを有し、かつ、上記延出部の少なくとも一方にこの延出方向に沿って設けられる第二目盛りを有し、
他の枠体が、上記一対の延出部間に配設される請求項１、請求項２又は請求項３に記載のロータリーダイカッター。
【請求項５】
上記可動切断刃部が、切断刃の側面の少なくとも一部を囲うように、切断刃用台の外面に配設される弾性部材を有する請求項１から請求項４のいずれか１項に記載のロータリーダイカッター。
【考案の詳細な説明】
【技術分野】
【０００１】
本考案は、段ボールシート加工用のロータリーダイカッターに関するものである。
【背景技術】
【０００２】
段ボール箱のフラップ等の形成は、通常、一枚の段ボールシートにロータリーダイカッター等を用いて切溝等を設けることにより行われている。上記ロータリーダイカッターは、ダイロールとアンビルロールとを備え、このダイロールの側面には切断刃が配設された構成を有する。このダイロールとアンビルロールとの間にダンボールシートを供給することで、切断刃により切溝等が形成される。このようなロータリーダイカッターにおいては、様々な形状や位置に設けられる切溝の形成に対応するため、ダイロール側面に移動及び着脱可能に設けられる複数の刃台を有するロータリーダイカッターが提案されている（特開２００４−９８２１９号公報参照）。しかし、上記ロータリーダイカッターは、周方向に設けられた一つのホルダー上に複数の刃台が配設された構造を有するため、この複数の刃台の相対的な位置の移動が制限されるという不都合がある。
【０００３】
また、段ボールシートに形成される上記切溝は一定幅を有するので、隣接するフラップ同士は切溝の幅だけ離間している。このため、段ボール箱を組みたてるために筒型の四角筒状部の内側にフラップを折り曲げる際に、隣接するフラップが邪魔にならず容易に折り曲げることができる。しかし、このように隣接するフラップ同士が離間していることによって、組み立てられた段ボール箱（フラップが折り曲げられた段ボール箱）の角（三つの稜の交点）に隙間が生じてしまう。つまり、組み立てられた状態でも、切溝の底部（フラップの付け根における四角筒状部の端縁部）においてフラップ同士は離間しており、このためこのフラップが離間した部分が隙間となってしまう。このような隙間は、段ボール箱内部の気密性が欠けるばかりか、この隙間から異物が混入するおそれも存在するという不都合がある。従って、このような段ボール箱の構造の不都合を解消する加工ができるロータリーダイカッターの開発も求められている。
【先行技術文献】
【特許文献】
【０００４】
【特許文献１】特開２００４−９８２１９号公報
【考案の概要】
【考案が解決しようとする課題】
【０００５】
本考案はこれらの事情に鑑みてなされたものであり、複数の切断刃の位置をダイロールの軸方向に自由に調整することができるロータリーダイカッターの提供を目的とするものである。
【課題を解決するための手段】
【０００６】
上記課題を解決するためになされた考案は、
段ボールシートの少なくとも一部を切断するダイロールと、このダイロールに対設されるアンビルロールとを備え、上記ダイロールとアンビルロールとの間に段ボールシートを挿通させてこの段ボールシートを加工するロータリーダイカッターであって、
上記ダイロールが、
ロール本体、
このロール本体に外嵌するよう装着される部分円筒状の一対の枠体、及び
この各枠体に軸方向に沿って摺動可能に、かつ着脱可能に配設される複数の可動切断刃部
を有し、
上記可動切断刃部が、
外面が上記枠体の外面と同一曲面上にある切断刃用台、及び
上記各切断刃用台の外面にそれぞれ立設される切断刃
を有することを特徴とする。
【０００７】
当該ロータリーダイカッターによれば、切断刃を有する可動切断刃部がロール本体に装着される枠体に、ダイロールの軸方向に沿って摺動可能に、かつ着脱可能に配設されているため、複数の切断刃の位置をダイロールの軸方向に自由に調整することができる。また、当該ロータリーダイカッターによれば、一対の枠体の間隔を調整することで、切断刃の位置の周方向の調整も可能である。
【０００８】
上記切断刃が平板形状を有し、かつダイロールの軸方向に対して垂直に設けられていることが好ましい。このような切断刃を用いることで、フラップ形成用の幅の狭い切溝を形成することができる。特に、例えばこのような切断刃を有する当該ロータリーダイカッターと、一般的な幅を有する切溝を形成できる装置（ロータリーダイカッターやスロッタ等）を組み合わせて用いることなどで、フラップの付け根部分に対応する切溝の底部分の幅のみを狭くすることができる。このようにすることで、フラップの付け根部分においてフラップ同士の距離が近く、このため角に隙間が生じ難い段ボール箱を形成することができる。
【０００９】
上記枠体が軸方向に沿って設けられる第一目盛りを有することが好ましい。このように、枠体の軸方向に沿って第一目盛りを設けることで、軸方向の切断刃の位置を正確に設定することができる。
【００１０】
上記一対の枠体のうち、一の枠体が、略帯状の枠体本体と、この枠体本体の一の側辺の両端部分から周方向に延出する一対の延出部とを有し、かつ、上記延出部の少なくとも一方にこの延出方向に沿って設けられる第二目盛りを有し、他の枠体が、上記一対の延出部間に配設されるとよい。このように一対の枠体を設けることで、周方向の切断刃の位置を正確に設定することができる。
【００１１】
上記可動切断刃部が、切断刃の側面の少なくとも一部を囲うように、切断刃用台の外面に配設される弾性部材を有することが好ましい。上記可動切断刃部がこのような弾性部材を有することで、段ボールシートの変形を抑えつつ、切溝を形成することができる。
【考案の効果】
【００１２】
以上説明したように本考案のロータリーダイカッターによれば、複数の切断刃の位置をダイロールの軸方向に自由に調整することができる。従って、当該ロータリーダイカッターは、段ボールシートの加工の際の、フラップ形成のための細い切溝の形成等に好適に用いることができる。
【図面の簡単な説明】
【００１３】
【図１】本考案の一実施形態に係るロータリーダイカッターを示す模式的斜視図
【図２】図１のロータリーダイカッターに備わる一対の枠体を示す模式的平面図
【図３】図１のロータリーダイカッターに備わる可動切断刃部の一つを示す模式的側面図（ａ）及び模式的平面図（ｂ）
【図４】図１のロータリーダイカッターにより加工される段ボールシートを示す平面図（ａ）、及び加工された段ボール箱用シートを示す平面図（ｂ）
【図５】図３の可動切断刃部とは異なる可動切断刃部を示す模式的平面図
【図６】図５の可動切断刃部が備わるロータリーダイカッターを用いて加工された段ボール箱用シートを示す平面図
【考案を実施するための形態】
【００１４】
以下、適宜図面を参照しつつ、本考案のロータリーダイカッターの実施の形態を詳説する。
【００１５】
（ロータリーダイカッター１）
図１のロータリーダイカッター１は、ダイロール２と、アンビルロール３とを備える。このダイロール２とアンビルロール３は、共に略円筒形状を有する。この両ロールは、加工する段ボールシートの厚みよりやや狭い程度に離間した状態で対設、すなわち向かい合った状態で平行に配設されている。ダイロール２及びアンビルロール３のサイズとしては、特に限定されず、一般的なサイズとすることができる。当該ロータリーダイカッター１によれば、ダイロール２及びアンビルロール３の軸を中心に互いに逆回転させ、この２つのロール間に段ボールシートを挿通させることにより、段ボールシートを加工することができる。
【００１６】
ダイロール２は、段ボールシートの少なくとも一部を切断する。ダイロール２は、ロール本体４、一対の枠体５、及び可動切断刃部６を主に備える。
【００１７】
ロール本体４は、略円筒形状を有し、軸方向に回転可能に構成されている。このロール本体４の材質としては、特に限定されず、例えば金属、合成樹脂、木材等を用いることができる。
【００１８】
ロール本体４の側面には、碁盤目状に設けられた複数の穴（図示しない）が形成されている。ロール本体４の側面にこのような複数の穴を形成することで、この穴を用いてネジ等により、ロール本体４の側面に一対の枠体５を装着させることができる。また、この穴が碁盤目状に設けられていることで、一対の枠体５の位置や、その間隔等を容易に調整することができる。
【００１９】
図１及び図２に示されるように、一対の枠体５は、ロール本体４に外嵌するように装着されている。一対の枠体５は、部分円筒形状、すなわち、ロール本体４の側面を内面とする円筒形体の一部を切り取った形状を有している。言い換えると、一対の枠体５は、これらの外面がロール本体４と同一の軸を有する円柱の側面上にあるように構成されている。この両枠体５は一対で略半円筒体を構成している。一対の枠体５が、このように外面が同一円柱側面上にあるように構成されていることで、段ボールシートの加工の際、枠体５の外面が加工部分に略均等の圧力で接することができる。
【００２０】
一対の枠体５のうちの一の枠体５ａは、略帯状の枠体本体５ａ１と、この枠体本体５ａ１の一の側辺の両端部分から周方向に延出する一対の延出部５ａ２とを有する。
【００２１】
枠体本体５ａ１は、長手方向がダイロール２（ロール本体４）の軸方向であり、幅方向に湾曲した帯状形状体である。すなわち、枠体本体５ａ１は、ロール本体４の側面を内面とする円筒形体を、この円筒形体の軸を含む２つの平面で分離した形状を有している。
【００２２】
枠体本体５ａ１には、長手方向に２本の帯状溝部７が直列に形成されている。この帯状溝部７に可動切断刃部６が配設される。この帯状溝部７の幅としては、特に限定されないが、例えば５ｃｍ以上２０ｃｍ以下程度である。
【００２３】
枠体本体５ａ１外面における、上記各帯状溝部７の側辺（長辺）と隣接する部分には、金属製のそれぞれ一対の帯状体８（レール）が配設されている。この帯状体８の幅としては、例えば５ｍｍ以上３ｃｍ以下程度である。また、帯状体８には、等間隔で複数の孔９が形成されている。このように孔９が形成されている帯状体８により、ネジ等を介して可動切断刃部６を固定することができる。
【００２４】
枠体本体５ａ１は、外面にダイロール２（ロール本体４）の軸方向に沿って設けられる第一目盛り１０を有する。当該ロータリーダイカッター１によれば、このように、枠体（一の枠体５ａ）の長手方向（ロールの軸方向）に沿って第一目盛り１０を設けることで、軸方向における切断刃（可動切断刃部６）の位置を正確に設定することができる。
【００２５】
枠体本体５ａ１における２つの帯状溝部７の間部分外面には、切断刃１２が固定されている。この切断刃１２は、平板形状を有し、ダイロール２の軸方向に垂直に立設されている。また、この切断刃１２は、一対の板材１３で挟持された状態で固定されている。切断刃１２の四方には、４つの板状の弾性部材１４が配設されている。
【００２６】
一対の延出部５ａ２は、共に帯状形状を有する。より具体的には、延出部５ａ２は、板状体をダイロール２の周方向に沿って湾曲させた形状を有する。
【００２７】
一対の延出部５ａ２は、外面にそれぞれその延出方向（ダイロール２の周方向）に沿って設けられる第二目盛り１１を有している。この第二目盛り１１の基点は、延出部５ａ２の付け根（枠体本体５ａ１との連結部分）となっている。
【００２８】
他の枠体５ｂは、長手方向がダイロール２（ロール本体４）の軸方向であり、幅方向に湾曲した帯状形状体である。すなわち、他の枠体５ｂは、ロール本体４の側面を内面とする円筒形体を、この円筒形体の軸を含む２つの平面で分離した形状を有している。
【００２９】
他の枠体５ｂは、一の枠体５ａにおける一対の延出部５ａ２間に配設されている。このように一対の枠体５を設け、上述のように一の枠体５ａが第二目盛り１１を有することで、ダイロール２における周方向の切断刃（可動切断刃部６）の位置を正確に設定することができる。
【００３０】
他の枠体５ｂも、一の枠体５ａと同様に、２つの帯状溝部７、この帯状溝部７のそれぞれの両側辺に隣接して配設される帯状体８、第一目盛り１０、固定された切断刃１２、一対の板材１３及び４つの弾性部材１４を有する。
【００３１】
一の枠体５ａと他の枠体５ｂにおいて、それぞれに設けられた帯状溝部７及び切断刃１２は、枠体間の直線を対象軸とした線対称になるように構成されている。
【００３２】
一対の枠体５の材質としては特に限定されず、例えば木製、合成樹脂製、金属製等とすることができるが、帯状体８以外の部分が木製であることが好ましい。このように木製とすることで、枠体自体の加工を容易にすることができると共に、軽量化を図ることができる。
【００３３】
また、各枠体５にはそれぞれ複数の孔が形成されている。具体的には、一の枠体５ａには略円形の孔２１ａが、他の枠体５ｂには略楕円形の孔２１ｂが形成されている。各枠体５にこのように孔が形成されていることで、この孔及びロール本体４に形成されている孔（図示しない）を介して、ネジ等を用いて、ロール本体４に各枠体を固定することができる。
【００３４】
可動切断刃部６は、一対の枠体５のそれぞれに３つずつ、ダイロール２（ロール本体４）の軸方向に沿って摺動可能に、かつ枠体５に着脱可能に配設されている。また、各可動切断刃部６は、そのうちの一つを図３に示すように、切断刃用台１５及びこの切断刃用台１５の外面に立設される切断刃１６をそれぞれ備えている。
【００３５】
切断刃用台１５は、一辺がダイロール２の軸方向となる略板状形状を有し、ダイロール２の周方向に湾曲した形状を有する。この切断刃用台１５は、枠体５の帯状溝部７に嵌め込まれるように設けられている。切断刃用台１５は、上記形状を有し、かつ上述のように配設されていることで、枠体５に対して着脱及び摺動可能となる。また、このように設けられていることで、切断刃用台１５の外面は、枠体５外面と同一曲面（ロール本体４と同一の軸を有する円柱の側面）上にあることとなり、その結果、段ボールシートの加工の際、枠体５及び切断刃用台１５の外面が加工部分に略均等の圧力で接することができる。
【００３６】
切断刃用台１５の材質としては、特に限定されず、木製、合成樹脂製、金属製等とすることができるが、木製であることが好ましい。このように木製とすることで、切断刃用台自体の加工を容易にすることができると共に、軽量化を図ることができる。
【００３７】
切断刃１６は、各切断刃用台１５外面に一つずつ立設されている。この切断刃１６は、平板形状を有し、ダイロール２の軸方向に対して垂直に立設されている。また、この切断刃１６の一端は、切断刃用台１５の一側辺に位置するように設けられている。切断刃１６は、一対の板材１７で挟持された状態で固定されている。
【００３８】
切断刃１６の高さとしては特に限定されないが、例えば５ｍｍ以上２ｃｍ以下程度である。また、切断刃１６の長さとしても特に限定されないが、例えば１ｃｍ以上５ｃｍ以下程度である。また、切断刃１６の幅（厚み）も特に限定されず、例えば０．２ｍｍ以上３ｍｍ以下程度である。
【００３９】
また、切断刃１６の先端の刃部分の形状は、のこぎり状であってもよいし、直線状の刃であってもよいが、のこぎり状であることが好ましい。
【００４０】
切断刃１２の少なくとも一側面を含む二方には、２つの板状の弾性部材１８が配設されている。可動切断刃部６がこのような弾性部材を有することで、段ボールシートの加工の際、この段ボールシートの変形を抑えつつ、切溝を形成することができる。弾性部材１８の材質としては、特に限定されず、例えばゴム製、スポンジ状の合成樹脂製等を採用することができる。
【００４１】
可動切断刃部６は、切断刃用台１５の外面の３つ隅部分に配設される固定具１９を有している。固定具１９には楕円状の孔２０が形成されている。この孔２０と帯状体８に形成されている孔９とにネジ等を挿して締めることにより、可動切断刃部６を固定することができる。
【００４２】
なお、上記固定具１９のうちの一つの固定具１９ａは、切断刃１６の刃の延長方向に位置している。また、この固定具１９ａは、ダイロール２の周方向に延出し、先端が切断刃１６の刃の延長上に位置する突起部２２を有する。この突起部２２の先端は、枠体本体５ａ１に設けられた第一目盛り１０を指すように構成されている。従って、当該ロータリーダイカッター１によれば、突起部２２により、各切断刃１６の位置を正確に定め、調整することができる。
【００４３】
アンビルロール３は、ダイロール２と対をなし、ダイロール２と逆回転することで、加工する段ボールシートを押さえながら挿通させるものである。このアンビルロール３としては、特に限定されず、段ボールシート加工用のロータリーダイカッターに通常備わる公知のものを用いることができる。
【００４４】
当該ロータリーダイカッター１によれば、このように切断刃１６を有する可動切断刃部６がロール本体４の長手方向に配設された枠体５に沿って摺動可能に、かつ枠体５に着脱可能に配設されているため、複数の切断刃１６の位置をダイロール２の軸方向に自由に調整することができる。また、当該ロータリーダイカッター１によれば、一対の枠体５の間隔を調整することで、切断刃１６の位置の周方向の調整も可能である。
【００４５】
（ロータリーダイカッター１の使用方法）
次に、当該ロータリーダイカッター１を用いた段ボールシート加工の一例を説明する。
【００４６】
当該ロータリーダイカッター１を用いるに先立って、一枚の段ボールシートに対し、一般的なロータリーダイカッターやスロッタを用いて、切溝１０１の形成及び罫線１０２加工し、図４（ａ）の形状の段ボールシート１００を得る。この段ボールシート１００は、切溝１０１及び罫線１０２（図中の一点鎖線）が設けられていることで、四角筒状部１０３となる部分と、フラップ１０４となる部分とが形成されている。但し、切溝１０１が四角筒状部１０３となる部分（罫線）まで設けられておらず、例えば０．５〜３ｃｍ手前までの切溝１０１となっている。また、上記切溝１０１の幅としては、３ｍｍ以上１ｃｍ以下程度である。
【００４７】
この段ボールシート１００に対して、当該ロータリーダイカッター１を用いた加工を行うことで、各切溝１０１の先端から延出する細幅の切溝１０５（切込）を備える図４（ｂ）の段ボール箱用シート２００を得ることができる。
【００４８】
具体的には、当該ロータリーダイカッター１において、得ようとする段ボール箱の高さに対応して、一対の枠体５間の間隔を調整し、また、各フラップの長さに対応して、各可動切断刃部６の位置を摺動させることで調整し、固定する。このように調整することで、各切断刃１６により、各切溝１０１の先端に連結する細幅の切溝１０５（切込）を形成することができる。
【００４９】
このようにして得られた段ボール箱用シート２００は、筒型に四角筒状部１０３を形成して、フラップ１０４を内側に折り曲げ、箱形（段ボール箱）に組み立てられる。このフラップ１０４を折り曲げるに際して、フラップ１０４間には切溝１０１が形成されており、この切溝１０１は一定幅を有するので、隣接するフラップ１０４との摩擦が小さく、容易にフラップ１０４を折り曲げることができる。また、フラップ１０４の付け根部分においては、細幅の切溝１０５（切込）が形成されているので、隣接するフラップ１０４と略隙間が存在しないので、組み立てられた段ボール箱の角に隙間が生じ難い。これにより、従来のようなＨ貼りを行わなくとも、内部に異物の混入のおそれが少ないとともに、段ボール箱の内部の気密性が高められることになり、このため冷蔵物の保管等にも利用することも考えることができる。また、Ｈ貼りを行わなくとも済むため、封緘作業が簡易且つ迅速に行うことができるとともに、さらには開封作業も簡易且つ迅速に行うことができる。
【００５０】
なお、段ボール箱用シート２００は、四角筒状部１０３の一端から延出するように設けられた糊代部１０６の長さが四角筒状部１０３の高さより大きく形成されている。そして、当該ロータリーダイカッター１によって、この糊代部１０６の両端部にも細幅の切溝１０５（切込）が形成されている。段ボール箱用シート２００の糊代部１０６がこのような構造を有することで、糊代部１０６の上下部分が上下のフラップ１０４とも接するようになる（オーバージョイント）ため、得られる段ボール箱の強度を高めることができる。また、糊代部１０６に切溝１０５が形成されているため、このように糊代部１０６の長さが四角筒状部１０３の高さより大きくとも、加工、組み立て、糊付け等をを容易に行うことができる。
【００５１】
（その他の実施形態）
図５の可動切断刃部５６は、切断刃用台１５及びこの切断刃用台１５に立設される切断刃６６をそれぞれ備えている。切断刃用台１５は、図３の切断刃用台１５と同様であるので同一番号を付して説明を省略する。また、図５の可動切断刃が備える弾性部材１８及び固定具１９、１９ａも図３の可動切断刃部６が有するものと同様であるので同一番号を付して説明を省略する。
【００５２】
切断刃６６は、湾曲した形状を有している。具体的には、切断刃６６は、立設した状態で、平面視（切断刃用台１５の外面法線方向から見た形状）において両端部分が略垂直になるように９０°滑らかに湾曲している。一対の板材６７は、この切断刃６６を両面方向から挟持して固定している。図１のロータリーダイカッター１において、可動切断刃部６の代わりに、このような切断刃６６を有する可動切断刃部５６等を用いることで、図６の段ボール箱用シート３００のように、フラップ３０４の角に丸み１０７を施した加工を行うことができる。
【００５３】
本考案のロータリーダイカッターは、上記実施形態に限定されるものではない。可動切断刃部の数は、任意に設定することができるし、また、可動切断刃部の形状（切断刃、弾性部材の形状や位置等）は、同一で無くてもよい。
【００５４】
また、当該ロータリーダイカッターにおいては、固定の切断刃が無い構造であってもよい。このように、全ての切断刃が可動切断刃部に設けられていることで、切断刃の位置調整の選択の幅をさらに広げることができる。また、切断刃は、上述の平板形状や湾曲形状に限定されるものでなく、例えば、孔や幅広の溝加工が形成可能な切断刃を用いることもできる。
【産業上の利用可能性】
【００５５】
以上のように、本考案のロータリーダイカッターは、段ボールシート加工に好適に用いることができる。
【符号の説明】
【００５６】
１  ロータリーダイカッター
２  ダイロール
３  アンビルロール
４  ロール本体
５  枠体
５ａ  一の枠体
５ａ１  枠体本体
５ａ２  延出部
５ｂ  他の枠体
６、５６  可動切断刃部
７  帯状溝部
８  帯状体
９  孔
１０  第一目盛り
１１  第二目盛り
１２  切断刃
１３  板材
１４  弾性部材
１５  切断刃用台
１６、６６  切断刃
１７、６７  板材
１８  弾性部材
１９、１９ａ  固定具
２０  孔
２１ａ、２１ｂ  孔
２２  突起部
１００  段ボールシート
１０１、１０５  切溝
１０２  罫線
１０３  四角筒状部
１０４、３０４  フラップ
１０６  糊代部
１０７  丸み
２００、３００  段ボール箱用シート
【図１】
0003172907.tif 000003
【図２】
0003172907.tif 000004
【図３】
0003172907.tif 000005
【図４】
0003172907.tif 000006
【図５】
0003172907.tif 000007
【図６】
0003172907.tif 000008